(57)【要約】      （修正有）【課題】ノート行へのはみ出しが生じない付箋ノートが構成可能な付箋紙片を備える付箋を提供する。【解決手段】片面に糊が塗布されている付箋紙片を複数枚重ねた付箋紙束からなる付箋において、ノート５の罫線と付箋紙片３Ａの縦辺Ｈ１，Ｈ２または横辺Ｗ１，Ｗ２の両端部の位置合わせを可能に、付箋紙片の縦の長さまたは横の長さをノートの一行の高さｈの倍数にし、縦辺または横辺の両端部がノートの罫線に位置合わせされた付箋ノートを構成する。【選択図】図３
0003205507.tif 000002
【実用新案登録請求の範囲】
【請求項１】
片面の所定部位に剥離自在かつ剥離後の貼着可能な糊が塗布されている付箋紙片を複数枚重ねた付箋紙束からなる付箋において、
罫線を有するノートの罫線と前記付箋紙片の縦の両端部の位置合わせを可能に、当該付箋紙片の縦の長さを前記ノートの一行の高さの倍数にしたことを特徴とする付箋。
【請求項２】
請求項１に記載した付箋において
前記付箋紙片の縦の長さが、前記ノートの一行の高さの２倍から１０倍に設定されている付箋。
【請求項３】
請求項１または２のいずれか１項に記載した付箋において
前記ノートの罫線と前記付箋紙片の横の両端部の位置合わせを可能に、当該付箋紙片の横の長さを前記ノートの一行の高さの倍数にした付箋。
【請求項４】
請求項１ないし３のいずれか１項に記載した付箋において
前記付箋紙片の横の長さが、前記ノートの横幅の半分以下である付箋。
【請求項５】
請求項１ないし４のいずれか１項に記載した付箋において
前記付箋紙片の横の長さが、前記ノートの一行の高さの１０倍である付箋。
【請求項６】
請求項１ないし５のいずれか１項に記載した付箋において
前記付箋紙片の形状は、長方形および正方形を含む方形である付箋。
【請求項７】
片面の所定部位に剥離自在かつ剥離後の貼着可能な糊が塗布されている付箋紙片を複数枚重ねた付箋紙束からなる付箋において、
罫線を有するノートの罫線と前記ノートに貼り付けた前記付箋紙片の上下方向の両端部の位置合わせを可能に、当該付箋紙片の縦または横の少なくとも一方の長さを前記ノートの一行の高さの倍数にしたことを特徴とする付箋。
【考案の詳細な説明】
【技術分野】
【０００１】
本考案は付箋に係り、詳しくは、罫線を有するノートに貼り付けて、付箋ノートを構成するに好適な付箋紙片を備えた付箋に関する。
【背景技術】
【０００２】
付箋の一例を図５に示す。この付箋１は、片面の一端部に剥離自在かつ剥離後に紙面への貼着可能な糊２が塗布されている付箋紙片３を、複数枚重ねた付箋紙束４からなり、従来は、図示例の付箋１よりも幅狭で短冊形の付箋紙片３の他端部を、書籍やノートなどの端から目視可能に露出させた状態で、その一端部を貼り付けて、例えば、目印や備忘のために使用されている。
【０００３】
ところで、近年、ノートを作成するにあたり、本来ノートに記載すべき内容を付箋紙片３に書き込んで、ノートからの露出を避けた状態で当該ノートに複数貼り付けてノートを作成するといった、いわゆる付箋ノートと呼ばれるノートの使用法における付箋１の普及が顕著である。ここで、図５の付箋１に備わる付箋紙片３において、付箋ノートの構成に適用される付箋紙片３について説明する。
【０００４】
図６は従来の付箋に備わる付箋紙片の説明図であり、図６（ａ）は第１付箋紙片の拡大説明図、図６（ｂ）は第２付箋紙片の拡大説明図、図６（ｃ）は第３付箋紙片の拡大説明図，図６（ｄ）は第４付箋紙片の拡大説明図、図６（ｅ）は第５付箋紙片の拡大説明図である。なお、以下の説明では、第１付箋紙片３に符号３ａを、第２付箋紙片３に符号３ｂを、第３付箋紙片３に符号３ｃを、それぞれ付加するとともに、第４付箋紙片３に符号３ｄを、第５付箋紙片３に符号３ｅを、それぞれ付加する。
【０００５】
図６（ａ），（ｂ），（ｃ）において、第１〜第３付箋紙片３ａ，３ｂ，３ｃは、左右で互いに対向して上下にのびる一対の縦辺Ｈ１，Ｈ２の縦の長さＨが、上下で互いに対向して左右にのびる一対の横辺Ｗ１，Ｗ２の横の長さＷよりも小さい長方形のもので、付箋紙片３ａは、Ｈ＝５０ｍｍ、Ｗ＝７５ｍｍに、付箋紙片３ｂは、Ｈ＝２５ｍｍ、Ｗ＝７５ｍｍに、付箋紙片３ｃは、Ｈ＝１５ｍｍ、Ｗ＝５０ｍｍに設定されており、図６（ｄ），（ｅ）に示す第４，第５付箋紙片３ｄ，３ｅは、ＨとＷが等しい正方形のもので、付箋紙片３ｄのＨとＷは５０ｍｍに、付箋紙片３ｅのＨとＷは７５ｍｍに設定されている。
【０００６】
各付箋紙片３ａ〜３ｅは、例えば、図７のノート５に貼り付けて付箋ノートを構成する。このノート５は、Ｂ５サイズ［縦ＨＹ＝２５７ｍｍ、横幅ＷＸ＝１８２ｍｍ］のもので、一行の高さｈに相当する７ｍｍ間隔のＡ罫であって、罫線Ｌ１〜Ｌ３２を備えている。
【０００７】
図６（ａ）〜（ｅ）の第１〜第５付箋紙片３ａ〜３ｅにおいて、書き込み量の大きい付箋ノートは、面積の大きい第１，第５付箋紙片３ａ，３ｅで構成し、書き込み量の小さい付箋ノートは、面積の小さい第２，第３，第４付箋紙片３ｂ，３ｃ，３ｄで構成される。また、第１〜第３付箋紙片３ａ〜３ｃの貼り付け形態は、これらの縦辺Ｈ１，Ｈ２をノート５（図７参照）の罫線Ｌ１〜Ｌ３２に同一平面で直交させ、かつ、横辺Ｗ１，Ｗ２を罫線Ｌ１〜Ｌ３２に同一平面で平行させる横貼りと、横辺Ｗ１，Ｗ２をノート５の罫線Ｌ１〜Ｌ３２に同一平面で直交させ、かつ、縦辺Ｈ１，Ｈ２を罫線Ｌ１〜Ｌ３２に同一平面で平行させる縦貼りに区別される。よって、正方形である第４，第５付箋紙片３ｄ，３ｅの貼り付け形態に縦貼りと横貼りの区別はない。
【０００８】
図８は従来の付箋紙片で構成した付箋ノートの説明図であり、図８（ａ）は第１付箋紙片で構成した付箋ノートの一例を示す説明図、図８（ｂ）は第５付箋紙で構成した付箋ノートの一例を示す説明図である。
【０００９】
図８（ａ），（ｂ）のように、面積の大きい第１，第５付箋紙片３ａ，３ｅで構成した付箋ノートは、例えば、受講，会議，打ち合わせ等に際する大量の書き込みに適する。ところが、図８（ａ）のように、２枚の第１付箋紙片３ａ，３ａそれぞれの横辺Ｗ１を罫線Ｌ１に位置合せした横貼りで、横に並列して付箋ノートを構成すると、Δｈ相当分、横辺Ｗ２の全てと縦辺Ｈ１，Ｈ２の一部が罫線Ｌ８と罫線Ｌ９の間の行にはみ出す。また、図８（ｂ）のように、２枚の第５付箋紙片３ｅ，３ｅそれぞれの一方の横辺Ｗ１を罫線Ｌ１に位置合わせした貼り付けで、横に並列して付箋ノートを構成すると、Δｈ相当分、横辺Ｗ２の全てと縦辺Ｈ１，Ｈ２の一部が罫線Ｌ１１と罫線Ｌ１２の間の行にはみ出す。
【００１０】
このように、第１付箋紙片３ａの横貼りと、第５付箋紙片３ｅの貼り付けで構成した付箋ノートではΔｈに相当するはみ出しが生じて、見映えを低下させるばかりか、はみ出しが生じた行の有効利用が妨げられるなどの問題が生じる。
【００１１】
図９は第１付箋紙片で構成した付箋ノートの他の例を示す説明図である。この図のように、２枚の第１付箋紙片３ａ，３ａそれぞれの縦辺Ｈ１を罫線Ｌ１に位置合わせした縦貼りで、横に並列して付箋ノートを構成すると、Δｈ相当分、縦辺Ｈ２の全てと横辺Ｗ１，Ｗ２の一部が罫線Ｌ１１と罫線Ｌ１２の間の行にはみ出す。
【００１２】
このように、第１付箋紙片３ａの縦貼りで構成した付箋ノートでも、Δｈに相当するはみ出しが生じて、見映えを低下させるばかりか、はみ出しが生じた行の有効利用が妨げられるなどの問題が生じる。
【００１３】
図１０は従来の付箋紙片で構成した付箋ノートの説明図であり、図１０（ａ）は第２付箋紙片で構成した付箋ノートの一例を示す説明図、図１０（ｂ）は第３付箋紙片で構成した付箋ノートの一例を示す説明図、図１０（ｃ）は第４付箋紙片で構成した付箋ノートの一例を示す説明図である。
【００１４】
図１０（ａ）〜（ｃ）のように、面積の小さい第２，第３，第４付箋紙片３ｂ，３ｃ、３ｄで構成した付箋ノートは、例えば、罫線Ｌ１〜Ｌ１０間の複数行に直に書き込まれた長文に対する所感の書き込み、あるいは、前記複数行に直に描かれた図形やグラフに対する解説に適する。ところが、図１０（ａ）のように、第２付箋紙片３ｂの横辺Ｗ１を罫線Ｌ１０に位置合わせした横貼りで付箋ノートを構成すると、Δｈ相当分、横辺Ｗ２の全てと縦辺Ｈ１，Ｈ２の一部が罫線Ｌ１３と罫線Ｌ１４の間の行にはみ出す。また、図１０（ｂ）のように、第３付箋紙片３ｃの横辺Ｗ１を罫線Ｌ１０に位置合わせした横貼りで付箋ノートを構成すると、Δｈ相当分、横辺Ｗ２の全てと縦辺Ｈ１，Ｈ２の一部が罫線Ｌ１２と罫線Ｌ１３の間の行にはみ出す。さらに、図１０（ｃ）のように、第４付箋紙片３ｄの横辺Ｗ１を罫線Ｌ１０に位置合わせした貼り付けで付箋ノートを構成すると、Δｈ相当分、横辺Ｗ２の全てと縦辺Ｈ１，Ｈ２の一部が罫線Ｌ１７と罫線Ｌ１８の間の行にはみ出す。
【００１５】
このように、第２，第３付箋紙片３ｂ，３ｃの横貼りと、第４付箋紙片３ｄの貼り付けで構成した付箋ノートでは、Δｈに相当するはみ出しが生じて、見映えを低下させるばかりか、はみ出しが生じた行の有効利用が妨げられるなどの問題が生じる。
【００１６】
図１１は従来の付箋紙片で構成した付箋ノートの異なる例の説明図で、図１１（ａ）は第２付箋紙片で構成した付箋ノートの他の例を示す説明図、図１１（ｂ）は第３付箋紙片で構成した付箋ノートの他の例を示す説明図である。
【００１７】
図１１（ａ）の第２付箋紙片３ｂで構成した付箋ノートは、例えば、罫線Ｌ１〜Ｌ１９間の複数行において、方形の一点鎖線６で囲まれた領域に直に書き込まれた長文に対する所感の書き込み、あるいは、前記領域に直に描かれた図形やグラフに対する解説に適する。ところが、第２付箋紙片３ｂの横辺Ｗ２を方形の一点鎖線６の右側辺に位置合わせし、かつ、縦辺Ｈ１を罫線Ｌ４に位置合わせした縦貼りで付箋ノートを構成すると、Δｈ相当分、縦辺Ｈ２の全てと横辺Ｗ１，Ｗ２の一部が罫線Ｌ１４と罫線Ｌ１５の間の行にはみ出して、見映えを低下させるばかりか、はみ出しが生じた行の有効利用が妨げられるなどの問題が生じる。
【００１８】
図１１（ｂ）の第３付箋紙片３ｃで構成した付箋ノートも、例えば、罫線Ｌ１〜Ｌ１７間の複数行において、方形の一点鎖線６で囲まれた領域に直に書き込まれた長文に対する所感の書き込み、あるいは、前記領域に直に描かれた図形やグラフに対する解説に適する。ところが、第３付箋紙片３ｃ横辺Ｗ２を方形の一点鎖線６の右側辺に位置合わせし、かつ、縦辺Ｈ１を罫線Ｌ４に位置合わせした縦貼りで付箋ノートを構成すると、Δｈ相当分、縦辺Ｈ２の全てと横辺Ｗ１，Ｗ２の一部が罫線Ｌ１１と罫線Ｌ１２の間の行にはみ出して、見映えを低下させるばかりか、はみ出しが生じた行の有効利用が妨げられるなどの問題が生じる。
【先行技術文献】
【特許文献】
【００１９】
【特許文献１】特になし
【考案の概要】
【考案が解決しようとする課題】
【００２０】
本考案は、上記の実情に鑑みてなされたもので、ノート行へのはみ出しが生じない付箋ノートの構成が可能な付箋紙片を備える付箋の提供を目的とするものである。
【課題を解決するための手段】
【００２１】
前記目的を達成するために、本考案に係る付箋は、片面の所定部位に剥離自在かつ剥離後の貼着可能な糊が塗布されている付箋紙片を複数枚重ねた付箋紙束からなる付箋において、罫線を有するノートの罫線と前記付箋紙片の縦の両端部の位置合わせを可能に、当該付箋紙片の縦の長さを前記ノートの一行の高さの倍数にしたことを特徴としている。
【００２２】
前記構成の付箋によれば、付箋紙片の縦がノートの罫線に同一平面で直交し、縦の両端部がノートの罫線に位置合わせされた付箋ノートを構成できるので見映が向上する。また、前記罫線に隣接する２つの行の少なくとも一方の行への付箋ノートのはみ出しが避けられて、当該行の有効利用を図ることが可能となる。
【００２３】
前記付箋紙片の縦の長さが、前記ノートの一行の高さの２倍から１０倍に設定されている。これによれば、書き込みが容易な付箋ノートを取り扱いのよい付箋紙片で構成できる。すなわち、縦の長さがノートの一行の高さの１倍であると、縦の長さが小さくなり過ぎて、書き込みが困難となる。その一方、縦の長さがノートの一行の高さの１１倍以上では、付箋紙片が大きくなり過ぎて取り扱いが悪くなる。
【００２４】
前記ノートの罫線と前記付箋紙片の横の両端部の位置合わせを可能に、当該付箋紙片の横の長さを前記ノートの一行の高さの倍数にしてある。この付箋によれば、付箋紙片の横がノートの罫線に同一平面で直交し、横の両端部がノートの罫線に位置合わせされた付箋ノートを構成できるので見映えが向上する。また、前記罫線に隣接する他の２つの行の少なくとも一方の行への付箋ノートのはみ出しが避けられて、当該行の有効利用を図ることが可能となる。しかも、付箋紙片の向きを縦・横で変えても、付箋紙片の両端部がノートの罫線に位置合わせされた付箋ノートを構成できる。
【００２５】
前記付箋紙片の横の長さが、前記ノートの横幅の半分以下である。これによると、横の長さが小さく取り扱いのよい少なくとも２枚の付箋紙片の横への並列により付箋ノートを構成できる。
【００２６】
前記付箋紙片の横の長さが、前記ノートの一行の高さの１０倍である。これによると、横の長さがノートの横幅の半分以下に制限された使い勝手のよい付箋紙片で付箋ノートを構成できる。
【００２７】
前記付箋紙片の形状は、長方形および正方形を含む方形である。これによれば、正円形，長円形，三角形，ハート形などの他の形状よりも使い勝手のよい付箋紙片で付箋ノートを構成できる。
【００２８】
また、本考案に係る付箋は、片面の所定部位に剥離自在かつ剥離後の貼着可能な糊が塗布されている付箋紙片を複数枚重ねた付箋紙束からなる付箋において、罫線を有するノートの罫線と前記ノートに貼り付けた前記付箋紙片の上下方向の両端部の位置合わせを可能に、当該付箋紙片の縦または横の少なくとも一方の長さを前記ノートの一行の高さの倍数にしたことを特徴としている。
【００２９】
この構成の付箋によれば、少なくとも付箋紙片の縦の長さをノートの一行の高さの倍数に設定すれば、付箋紙片の縦がノートの罫線に同一平面で直交し、縦の両端部がノートの罫線に位置合わせされた付箋ノートを構成できるので見映が向上するし、前記罫線に隣接する２つの行の少なくとも一方の行への付箋ノートのはみ出しが避けられて、当該行の有効利用を図ることが可能となる。また、少なくとも付箋紙片の横の長さをノートの一行の高さの倍数に設定すれば、付箋紙片の縦を横にしてノートに貼り付けた場合、すなわち付箋紙片を９０度回転してノートに貼り付けた場合に、付箋紙片の横がノートの罫線に同一平面で直交し、横の両端部がノートの罫線に位置合わせされた付箋ノートを構成できるので見映えが向上するし、前記罫線に隣接する他の２つの行の少なくとも一方の行への付箋ノートのはみ出しが避けられて、当該行の有効利用を図ることが可能となる。また、付箋紙片の縦と横の長さの両方をノートの一行の高さの倍数に設定すれば、付箋紙片の向きを縦・横で変えても、付箋紙片の両端部がノートの罫線に位置合わせされた付箋ノートを構成できる。
【００３０】
なお、前記の「付箋紙片の縦」とは、付箋紙片の上下方向を指す。前記の「付箋紙片の縦の長さ」とは、付箋紙片の上下方向の大きさをいう。前記の「付箋紙片の横」とは、付箋紙片の縦に同一平面で直交する左右方向を指す。前記の「付箋紙片の横の長さ」とは、付箋紙片の左右方向の大きさをいう。前記の「ノートの行」とは、罫線の間に形成される左右の空間部をいう。前記の「ノートの一行の高さ」とは、罫線の間隔をいう。
【考案の効果】
【００３１】
本考案に係る付箋によれば、付箋紙片の縦の両端部または横の両端部の少なくとも一方が、罫線を有するノートの罫線に位置合わせされた付箋ノートを構成できるので、見映が向上する。また、前記罫線に隣接する２つの行の少なくとも一方の行への付箋紙片のはみ出しが避けられて、当該行の有効利用を図ることが可能となる。
【図面の簡単な説明】
【００３２】
【図１】本考案に係る付箋に備わる付箋紙片の説明図であり、図１（ａ）は第１付箋紙片の拡大説明図、図１（ｂ）は第２付箋紙片の拡大説明図、図１（ｃ）は第３付箋紙片の拡大説明図である。
【図２】本考案に係る付箋に備わる付箋紙片で構成した付箋ノートの説明図であり、図２（ａ）は第１付箋紙片で構成した付箋ノートの一例を示す説明図、図２（ｂ）は第３付箋紙片で構成した付箋ノートの一例を示す説明図である。
【図３】第１付箋紙片で構成した付箋ノートの他の例を示す説明図である。
【図４】本考案に係る付箋に備わる付箋紙片で構成した付箋ノートの説明図であり、図４（ａ）は第２付箋紙片で構成した付箋ノートの一例を示す説明図、図４（ｂ）は第２付箋紙片で構成した付箋ノートの他の例を示す説明図である。
【図５】付箋の一例を示す斜視図である。
【図６】従来の付箋に備わる付箋紙片の説明図であり、図６（ａ）は第１付箋紙片の拡大説明図、図６（ｂ）は第２付箋紙片の拡大説明図、図６（ｃ）は第３付箋紙片の拡大説明図，図６（ｄ）は第４付箋紙片の拡大説明図、図６（ｅ）は第５付箋紙片の拡大説明図である。
【図７】付箋ノートの構成に適用されるＢ５サイズで、罫線を備えるノートの説明図である。
【図８】従来の付箋紙片で構成した付箋ノートの説明図であり、図８（ａ）は第１付箋紙片で構成した付箋ノートの一例を示す説明図、図８（ｂ）は第５付箋紙で構成した付箋ノートの一例を示す説明図である。
【図９】第１付箋紙片で構成した付箋ノートの他の例を示す説明図である。
【図１０】従来の付箋紙片で構成した付箋ノートの説明図であり、図１０（ａ）は第２付箋紙片で構成した付箋ノートの一例を示す説明図、図１０（ｂ）は第３付箋紙片で構成した付箋ノートの一例を示す説明図、図１０（ｃ）は第４付箋紙片で構成した付箋ノートの一例を示す説明図である。
【図１１】従来の付箋紙片で構成した付箋ノートの異なる例の説明図で、図１１（ａ）は第２付箋紙片で構成した付箋ノートの他の例を示す説明図、図１１（ｂ）は第３付箋紙片で構成した付箋ノートの他の例を示す説明図である。
【考案を実施するための最良の形態】
【００３３】
以下、本考案に係る付箋の好ましい実施例を図面に基づいて説明する。
図１は本考案に係る付箋に備わる付箋紙片の説明図であり、図１（ａ）第１付箋紙片の拡大説明図、図１（ｂ）は第２付箋紙片の拡大説明図、図１（ｃ）は第３付箋紙片の拡大説明図である。図２は本考案に係る付箋に備わる付箋紙片で構成した付箋ノートの説明図であり、図２（ａ）は第１付箋紙片で構成した付箋ノートの一例を示す説明図、図２（ｂ）は第３付箋紙片で構成した付箋ノートの一例を示す説明図である。図３は第１付箋紙片で構成した付箋ノートの他の例を示す説明図である。図４は本考案に係る付箋に備わる付箋紙片で構成した付箋ノートの説明図であり、図４（ａ）は第２付箋紙片で構成した付箋ノートの一例を示す説明図、図４（ｂ）は第２付箋紙片で構成した付箋ノートの他の例を示す説明図である。
なお、付箋の説明は図５の付箋１を援用し、ノートの説明は図７のノート５を援用して行う。
【００３４】
本考案に係る付箋１は、図５のように、片面の一端部に剥離自在かつ剥離後にノートへの貼着が可能な糊２が塗布されている付箋紙片３を、複数枚重ねた付箋紙束４からなる。
このノート５は、Ｂ５サイズ［縦ＨＹ＝２５７ｍｍ、横幅ＷＸ＝１８２ｍｍ］のもので、一行の高さｈに相当する７ｍｍ間隔のＡ罫であって、罫線Ｌ１〜Ｌ３２を備えている。
【００３５】
図１の付箋紙片３において、図１（ａ）の第１付箋紙片３に符号３Ａを、図１（ｂ）の第２付箋紙片３に符号３Ｂを、図１（ｃ）の第３付箋紙片３に符号３Ｃを、それぞれ付加する。
【００３６】
図１（ａ），（ｂ）の第１，第２付箋紙片３Ａ，３Ｂは、左右で互いに対向して上下にのびる一対の縦辺Ｈ１，Ｈ２の縦の長さＨが、上下で互いに対向して左右にのびる一対の横辺Ｗ１，Ｗ２の横の長さＷよりも小さい長方形のもので、付箋紙片３Ａは、Ｈ＝２８ｍｍ、Ｗ＝７０ｍｍに、付箋紙片３Ｂは、Ｈ＝１４ｍｍ、Ｗ＝７０ｍｍに設定され、図１（ｃ）の第３付箋紙片３Ｃは、ＨとＷが等しい正方形のもので、ＨとＷは７０ｍｍに設定されている。各付箋紙片３Ａ〜３Ｃは、図７のノート５に貼り付けて付箋ノートを構成する。このノート５は、Ｂ５サイズ［縦ＨＹ＝２５７ｍｍ、横幅ＷＸ＝１８２ｍｍ］のもので、一行の高さｈに相当する７ｍｍ間隔のＡ罫と呼称されるノートであって、罫線Ｌ１〜Ｌ３２を備えている。
【００３７】
図１（ａ），（ｂ），（ｃ）の付箋紙片３Ａ、３Ｂ、３Ｃにおいて、書き込み量の大きい付箋ノートは、面積の大きい第１，第３付箋紙片３Ａ，３Ｃの１または複数枚の使用が有用であり、書き込み量の小さい付箋ノートは、面積の小さい第２付箋紙片３Ｂの使用が有用である。また、第１，第２付箋紙片３Ａ，３Ｂの貼り付け形態は、これらの縦辺Ｈ１，Ｈ２をノート５（図７参照）の罫線Ｌ１〜Ｌ３２に同一平面で直交させ、かつ、横辺Ｗ１，Ｗ２を罫線Ｌ１〜Ｌ３２に同一平面で平行させる横貼りと、横辺Ｗ１，Ｗ２をノート５の罫線Ｌ１〜Ｌ３２に同一平面で直交させ、かつ、縦辺Ｈ１，Ｈ２を罫線Ｌ１〜Ｌ３２に同一平面で平行させる縦貼りに区別される。よって、正方形である第３付箋紙片３Ｃの貼り付け形態に縦貼りと横貼りの区別はない。
【００３８】
図２（ａ）のように、４枚の第１付箋紙片３Ａ…３Ａで構成した付箋ノートは、例えば、受講，会議，打ち合わせ等に際する大量の書き込みに適する。この図では、上段で２枚の第１付箋紙片３Ａ，３Ａそれぞれの横辺Ｗ１を罫線Ｌ１に位置合せした横貼りで付箋ノートを構成し、下段で他の２枚の第１付箋紙片３Ａ，３Ａそれぞれの横辺Ｗ１を罫線Ｌ５に位置合せした横貼りで付箋ノートを構成している。
【００３９】
第１付箋紙片３Ａは、縦辺Ｈ１，Ｈ２の縦の長さＨがノート５の一行の高さｈ（７ｍｍ）の４倍（２８ｍｍ）に設定されているので、上段２枚の第１付箋紙片３Ａ，３Ａそれぞれの縦辺Ｈ１，Ｈ２の上端（縦の一端）は罫線Ｌ１に位置合せされ、縦辺Ｈ１，Ｈ２の下端（縦の他端）は罫線Ｌ５に位置合せされ、かつ、横辺Ｗ１の全てが罫線Ｌ１に位置合せされ、横辺Ｗ２が罫線Ｌ５に位置合せされた付箋ノートを構成できる。換言するなら、縦辺Ｈ１，Ｈ２の上端部が罫線Ｌ１と罫線Ｌ２の間の一行に位置合わせされ、縦辺Ｈ１，Ｈ２の下端部が罫線Ｌ４と罫線Ｌ５の間の一行に位置合わせされた付箋ノートを構成できる。また、下段２枚の第１付箋紙片３Ａ，３Ａそれぞれの縦辺Ｈ１，Ｈ２の上端は罫線Ｌ５に位置合せされ、縦辺Ｈ１，Ｈ２の下端は罫線Ｌ９に位置合せされ、かつ、横辺Ｗ１の全てが罫線Ｌ５に位置合せされ、横辺Ｗ２の全てが罫線Ｌ９に位置合せされた付箋ノートを構成できる。換言するなら、縦辺Ｈ１，Ｈ２の上端部が罫線Ｌ５と罫線Ｌ６の間の行に位置合わせされ、縦辺Ｈ１，Ｈ２の下端部が罫線Ｌ８と罫線Ｌ９の間の一行に位置合わせされた付箋ノート、つまり、縦辺Ｈ１，Ｈ２の両端部が前記の二行に位置合わせされた付箋ノートを構成できる。
【００４０】
このように構成された付箋ノートは、前記従来例で説明したΔｈに相当するはみ出しが生じないので見映えが向上する。また、前記位置合わせされた罫線に隣接する他の２つの行（罫線Ｌ１と上側の罫線Ｌ０の間の行および罫線Ｌ９と罫線Ｌ１０の間の行）の少なくとも一方の行への付箋ノートのはみ出しが避けられて、当該行の有効利用を図ることが可能となる。
【００４１】
図２（ｂ）のように、２枚の第３付箋紙片３Ｃ，３Ｃで構成した付箋ノートは、受講，会議，打ち合わせ等に際する大量の書き込みに適する。この図では、２枚の第３付箋紙片３Ｃ，３Ｃそれぞれの横辺Ｗ１を罫線Ｌ１に位置合せした横貼りで付箋ノートを構成している。
【００４２】
第３付箋紙片３Ｃは、縦辺Ｈ１，Ｈ２の縦の長さＨと横辺Ｗ１，Ｗ２Ｈがノート５の一行の高さｈ（７ｍｍ）の１０倍（７０ｍｍ）に設定されているので、第３付箋紙片３Ｃ，３Ｃそれぞれの縦辺Ｈ１，Ｈ２の上端（縦の一端）は罫線Ｌ１に位置合せされ、縦辺Ｈ１，Ｈ２の下端（縦の他端）は罫線Ｌ１１に位置合せされ、かつ、横辺Ｗ１の全てが罫線Ｌ１に位置合せされ、横辺Ｗ２の全てが罫線Ｌ１１に位置合せされた付箋ノートを構成できる。換言するなら、縦辺Ｈ１，Ｈ２の上端部が罫線Ｌ１と罫線Ｌ２の間の一行に位置合わせされ、縦辺Ｈ１，Ｈ２の下端部が罫線Ｌ１０と罫線Ｌ１１の間の一行に位置合わせされた付箋ノート、つまり、縦辺Ｈ１，Ｈ２の両端部が前記の二行に位置合わせされた付箋ノートを構成できる。
【００４３】
このように構成された付箋ノートは、前記従来例で説明したΔｈに相当するはみ出しが生じないので見映えが向上する。また、また、前記位置合わせされた罫線に隣接する他の２つの行（罫線Ｌ１と上側の罫線Ｌ０の間の行および罫線Ｌ１１と罫線Ｌ１２の間の行）への付箋ノートのはみ出しが避けられて、当該行の有効利用を図ることが可能となる。
【００４４】
図３のように、６枚の第１付箋紙片３Ａ…３Ａで構成した付箋ノートは、受講，会議，打ち合わせ等に際する大量の書き込みに適する。この図では、６枚の第１付箋紙片３Ａ…３Ａそれぞれの縦辺Ｈ１を罫線Ｌ１に位置合せした縦貼りで、横に並列して付箋ノートを構成している。
【００４５】
第１付箋紙片３Ａは、横辺Ｗ１，Ｗ２の横の長さＷがノート５の一行の高さｈ（７ｍｍ）の１０倍（７０ｍｍ）に設定されているので、６枚の第１付箋紙片３Ａ…３Ａそれぞれの横辺Ｗ１，Ｗ２の一端（図３では横辺Ｗ１，Ｗ２の上端）は罫線Ｌ１に位置合せされ、横辺Ｗ１，Ｗ２の他端（図３では横辺Ｗ１，Ｗ２の下端）は罫線Ｌ１１に位置合せされた付箋ノートを構成できる。換言するなら、横辺Ｗ１，Ｗ２の上端部が罫線Ｌ１と罫線Ｌ２の間の一行に位置合わせされ、横辺Ｗ１，Ｗ２の下端部が罫線Ｌ１０と罫線Ｌ１１の間の一行に位置合わせされた付箋ノート、つまり、横辺Ｗ１，Ｗ２の両端部が前記の二行に位置合わせされた付箋ノートを構成できる。
【００４６】
このように構成された付箋ノートは、前記従来例で説明したΔｈに相当するはみ出しが生じないので見映えが向上する。また、前記位置合わせされた罫線に隣接する他の２つの行（罫線Ｌ１と上側の罫線Ｌ０の間の行および罫線Ｌ１１と罫線Ｌ１２の間の行）の少なくとも一方の行への付箋ノートのはみ出しが避けられて、当該行の有効利用を図ることが可能となる。しかも、第１付箋紙片３Ａの向きを縦・横で変えても、図２（ａ）のように，前記Δｈに相当するはみ出しが生じない付箋ノートを構成できる。
【００４７】
図４（ａ）の第２付箋紙片３Ｂで構成した付箋ノートは、例えば、罫線Ｌ１〜Ｌ１０間の複数行において、方形の一点鎖線６で囲まれた領域に直に書き込まれた長文に対する所感の書き込み、あるいは、前記領域に直に描かれた図形やグラフに対する解説に適する。図示例では、第２付箋紙片３ｂの横辺Ｗ１を罫線Ｌ１０に位置合わせし、横辺Ｗ２を罫線Ｌ１２に位置合わせした横貼りで付箋ノートを構成している。
【００４８】
第２付箋紙片３Ｂの縦辺Ｈ１，Ｈ２の縦の長さＨは、ノート５の一行の高さｈ（７ｍｍ）の２倍（１４ｍｍ）に設定されているので、第３付箋紙片３Ｂの縦辺Ｈ１，Ｈ２の上端（縦の一端）は罫線Ｌ１０に位置合せされ、縦辺Ｈ１，Ｈ２の下端（縦の他端）は罫線Ｌ１２に位置合せされ、かつ、横辺Ｗ１の全てが罫線Ｌ１０に位置合せされ、横辺Ｗ２の全てが罫線Ｌ１２に位置合せされた付箋ノートを構成できる。換言するなら、縦辺Ｈ１，Ｈ２の上端部が罫線Ｌ１０と罫線Ｌ１１の間の一行に位置合わせされ、縦辺Ｈ１，Ｈ２の下端部が罫線Ｌ１１と罫線Ｌ１２の間の一行に位置合わせされた付箋ノート、つまり、縦辺Ｈ１，Ｈ２の両端部が前記の二行に位置合わせされた付箋ノートを構成できる。
【００４９】
このように構成された付箋ノートは、前記従来例で説明したΔｈに相当するはみ出しが生じないので見映えが向上する。また、前記位置合わせされた罫線に隣接する他の２つの行（罫線Ｌ９と罫線Ｌ１０の間の行および罫線Ｌ１２と罫線Ｌ１３の間の行）の少なくとも一方の行への付箋ノートのはみ出しが避けられて、当該行の有効利用を図ることが可能となる。
【００５０】
図４（ｂ）のように、第２付箋紙片３Ｂは、横辺Ｗ２を方形の一点鎖線６の右側辺に位置合わせし、かつ、縦辺Ｈ１を罫線Ｌ４に位置合わせした縦貼りで付箋ノートを構成している。
【００５１】
第２付箋紙片３Ｂは、横辺Ｗ１，Ｗ２の横の長さＷがノート５の一行の高さｈ（７ｍｍ）の１０倍（７０ｍｍ）に設定されているので、横辺Ｗ１，Ｗ２の一端［図４（ｂ）では横辺Ｗ１，Ｗ２の上端］が罫線Ｌ４に位置合せされ、横辺Ｗ１，Ｗ２の他端［図４（ｂ）では横辺Ｗ１，Ｗ２の下端］が罫線Ｌ１４に位置合せされた付箋ノートを構成できる。換言するなら、横辺Ｗ１，Ｗ２の上端部が罫線Ｌ４と罫線Ｌ５の間の一行に位置合わせされ、横辺Ｗ１，Ｗ２の下端部が罫線Ｌ１３と罫線Ｌ１４の間の一行に位置合わせされた付箋ノート、つまり、横辺Ｗ１，Ｗ２の両端部が前記の二行に位置合わせされた付箋ノートを構成できる。
【００５２】
このように構成された付箋ノートは、前記従来例で説明したΔｈに相当するはみ出しが生じないので見映えが向上する。また、前記位置合わせされた罫線に隣接する他の２つの行（罫線Ｌ３と罫線Ｌ４の間の行および罫線Ｌ１４と罫線Ｌ１５の間の行）の少なくとも一方の行への付箋ノートのはみ出しが避けられて、当該行の有効利用を図ることが可能となる。しかも、第２付箋紙片３Ｂの向きを縦・横で変えても、図４（ａ）のように、前記Δｈに相当するはみ出しが生じない付箋ノートを構成できる。
【００５３】
前記各実施例では、各付箋紙片３Ａ，３Ｂ，３Ｃの縦の長さＨが、ノート５の一行の高さｈ（７ｍｍ）の２倍（１４ｍｍ）から１０倍（７０ｍｍ）に設定されているので、書き込みが容易な付箋ノートを取り扱いのよい付箋紙片３Ａ，３Ｂ，３Ｃで構成できる。すなわち、縦の長さＨがノート５の一行の高さの１倍（７ｍｍ）であると、縦の長さＨが小さくなり過ぎて、書き込みが困難となる。その一方、縦の長さＨがノート５の一行の高さの１１倍（７７ｍｍ）以上では、付箋紙片３Ａ，３Ｂ，３Ｃが大きくなり過ぎて取り扱いが悪くなる。
【００５４】
付箋紙片３Ａ，３Ｂ，３Ｃの横の長さＷが、ノート５の横幅ＷＸの半分以下であると、横の長さＷが小さく取り扱いのよい少なくとも２枚の付箋紙片［（２枚の付箋紙片３Ａ）、（２枚の付箋紙片３Ｂ）および（２枚の付箋紙片３Ｃ）のいずれかに相当］の横への並列により付箋ノートを構成できる。
【００５５】
各付箋紙片３Ａ，３Ｂ，３Ｃの横の長さＷが、ノート５の一行の高さ（７ｍｍ）の１０倍（７０ｍｍ）であると、横の長さＷがノート５の横幅ＷＸの半分以下に制限された使い勝手のよい付箋紙片３Ａ，３Ｂ，３Ｃで付箋ノートを構成できる。
【００５６】
本考案に係る付箋１は、前記実施形態のみに限定されるものではなく、その趣旨および技術思想を逸脱しない範囲であれば、構造変形が可能である。
【００５７】
例えば、図７の一行の高さｈに相当する６ｍｍ間隔の行（図示省略）を備えた、いわゆるＢ罫のノートであって、Ｂ５サイズのノート５に付箋紙片３Ａ、３Ｂ、３Ｃを貼り付けて付箋ノートを構成してもよい。この場合、ノート５の罫線と各付箋紙片３Ａ、３Ｂ、３Ｃの縦の両端部の位置合わせを可能に、各付箋紙片３Ａ、３Ｂ、３Ｃの縦の長さＨをノート５の一行の高さ６ｍｍの倍数とし、かつ、ノート５の罫線と各付箋紙片３Ａ、３Ｂ、３Ｃの横の両端部の位置合わせを可能に、各付箋紙片３Ａ、３Ｂ、３Ｃの横の長さＷをノート５の一行の高さ６ｍｍの倍数とすればよい。
【００５８】
各付箋紙片３Ａ、３Ｂ、３Ｃの形状は、前記実施例で説明した長方形および正方形を含む方形のみに限定されるものではなく、正円形，長円形，三角形，ハート形などの他の形状であってもよい。ただし、長方形および正方形を含む方形の付箋紙片３Ａ、３Ｂ、３Ｃは使い勝手がよいので、付箋ノートの構成が容易となる。
【産業上の利用可能性】
【００５９】
本考案に備わる付箋紙片は、ノートの見映えを向上させるとともに、当該ノートの有効利用スペースの拡大を実現できる付箋ノートの構成に有用である。
【符号の説明】
【００６０】
１  付箋
２  糊
３  付箋紙片
３Ａ  付箋紙片
３Ｂ  付箋紙片
３Ｃ  付箋紙片
４  付箋紙束
５  ノート
Ｌ１〜Ｌ３２  罫線
Ｈ  付箋紙片の縦の長さ
Ｈ１  付箋紙片の縦辺（付箋紙片の縦）
Ｈ２  付箋紙片の縦辺（付箋紙片の縦）
Ｗ  付箋紙片の横の長さ
Ｗ１  付箋紙片の横辺（付箋紙片の横）
Ｗ２  付箋紙片の横辺（付箋紙片の横）
ＷＸ  ノートの横幅
ｈ  ノートの一行の高さ（罫の間隔）
【図１】
0003205507.tif 000003
【図２】
0003205507.tif 000004
【図３】
0003205507.tif 000005
【図４】
0003205507.tif 000006
【図５】
0003205507.tif 000007
【図６】
0003205507.tif 000008
【図７】
0003205507.tif 000009
【図８】
0003205507.tif 000010
【図９】
0003205507.tif 000011
【図１０】
0003205507.tif 000012
【図１１】
0003205507.tif 000013